(57)【要約】【課題】キャブの窓のガラス面にワイパー、ウオッシャ液などでは拭い取るのが困難な、例えば速乾性の吹付けセメントのような異物が付着するのを防止し、運転視界を向上させることができるようにする。【解決手段】キャブが、ガラス窓の外面を覆う幅を有した帯状の透明のフィルムと、ロール状に巻いたこのフィルムを収容するガラス窓の一端側に設置された収容部と、収容部のフィルムを所定の長さ引き出してロール状に巻き取るガラス窓の他端側に設置された巻取部を備え、フィルムを収容部と巻取部の間でガラス窓の外面に沿って張り渡たす。【選択図】図１
2007203856.tif 000002
【特許請求の範囲】
【請求項１】
キャブのガラス窓の外面を覆う幅を有した帯状の透明のフィルムと、
ロール状に巻いたこのフィルムを収容するガラス窓の一端側に設置された収容部と、
収容部のフィルムを所定の長さ引き出してロール状に巻き取るガラス窓の他端側に設置された巻取部とを備え、
フィルムが、収容部と巻取部の間でガラス窓の外面に沿って張り渡たされる、
ことを特徴とするキャブ。
【請求項２】
巻取部が、オンオフ自在な巻取駆動手段を備え、
収容部が、フィルムを引出し方向と逆の方向に弾性的に付勢する付勢手段を備えている、
ことを特徴とする請求項１記載のキャブ。
【請求項３】
ガラス窓が、キャブの前面に形成された前窓であり、
収容部がこの前窓の下端側に、巻取部が上端側に設置されている、
ことを特徴とする請求項１または２記載のキャブ。
【請求項４】
キャブが前窓に隣接して天井部に形成された天窓を備え、
巻取部が天窓の端部に設置され、
フィルムが、前窓および天窓に沿って張り渡される、
ことを特徴とする請求項３記載のキャブ。
【請求項５】
巻取駆動手段が、一定時間が経過すると自動的にフィルムを巻き取るタイマーを備えている、
ことを特徴とする請求項２記載のキャブ。
【請求項６】
フィルムが、塩化ビニル樹脂製である、
請求項１から５までのいずれかに記載のキャブ。
【発明の詳細な説明】
【技術分野】
【０００１】
本発明は、建設機械などのキャブにおいて、ガラス窓のガラス面に付着する取れにくい汚れによって視界が悪化する問題を改善し、視界を向上させるキャブに関する。
【背景技術】
【０００２】
例えば油圧ショベルのような建設機械に備えられるキャブのガラス窓である前窓には、ガラス面にかかる雨滴を拭い取る装置であるワイパーが備えられている（例えば、特許文献１参照）。一方、建設機械のように塵埃などの多い現場で稼働する機械のキャブのガラス面には、雨天でない場合においても、泥水、埃などの汚れが付着しやすい。この付着する汚れは、ワイパーを作動させ、必要に応じてウオッシャ液を噴射して拭い取られる。ワイパーで拭いきれない汚れは、作業者が人力によって取っている。
【特許文献１】特開平８−２６８２３８号公報（第１図）
【発明の開示】
【発明が解決しようとする課題】
【０００３】
上述したとおりの形態の従来のキャブには、ガラス面に付着する汚れに関連して、次のとおりの解決すべき課題がある。
【０００４】
例えば、トンネル掘削工事のような現場においては、泥水、埃等の他に、速乾性の吹付けセメントのような異物が飛散し、これらがキャブのガラス面に付着する。特に速乾性のセメントのような異物は、一旦ガラス面に付着するとワイパー、ウオッシャ液、手拭き掃除などでは拭い取るのが難しい。汚れを取り運転視界を確保するためには、窓ガラスの交換が必要な場合がある。
【０００５】
本発明は上記事実に鑑みてなされたもので、その技術的課題は、キャブの窓のガラス面にワイパー、ウオッシャ液などでは拭い取るのが困難な異物が付着するのを防止し、運転視界を向上させることができる、キャブを提供することである。
【課題を解決するための手段】
【０００６】
本発明によれば上記技術的課題を解決するキャブとして、キャブのガラス窓の外面を覆う幅を有した帯状の透明のフィルムと、ロール状に巻いたこのフィルムを収容するガラス窓の一端側に設置された収容部と、収容部のフィルムを所定の長さ引き出してロール状に巻き取るガラス窓の他端側に設置された巻取部とを備え、フィルムが、収容部と巻取部の間でガラス窓の外面に沿って張り渡たされる、ことを特徴とするキャブが提供される。
【０００７】
好適には、巻取部は、オンオフ自在な巻取駆動手段を備え、収容部は、フィルムを引出し方向と逆の逆方向に弾性的に付勢する付勢手段を備えている。ガラス窓は、キャブの前面に形成された前窓であり、収容部はこの前窓の下端側に、巻取部は上端側に設置されている。キャブは前窓に隣接して天井部に形成された天窓を備え、巻取部は天窓の端部に設置され、フィルムは、前窓および天窓に沿って張り渡される。
【０００８】
巻取駆動手段は、一定時間が経過すると自動的にフィルムを巻き取るタイマーを備えている。フィルムは、塩化ビニル樹脂製である。
【発明の効果】
【０００９】
本発明に従って構成されたキャブは、キャブのガラス窓の外面を覆う帯状の透明のフィルムと、ロール状に巻いたこのフィルムを収容するガラス窓の一端側の収容部と、収容部のフィルムを所定の長さ引き出してロール状に巻き取るガラス窓の他端側の巻取部を備え、フィルムが、収容部と巻取部の間でガラス窓の外面に沿って張り渡たされる。
【００１０】
したがって、ガラス窓の外面に沿って透明のフィルムを張り渡すことにより、ガラス面にワイパー、ウオッシャ液、あるいは手拭きなどでは拭い取るのが困難な異物、例えば速乾性の吹付けセメントのような異物が付着しないようにし、フィルムが付着した異物によって視界を妨げるようになった場合には、汚れた部分を巻取って新しい部分を引出し運転視界が妨げられないようにすることができる。
【発明を実施するための最良の形態】
【００１１】
以下、本発明に従って構成されたキャブについて、建設機械の代表例の一つである油圧ショベルに備えられるキャブにおける好適実施形態を図示している添付図面を参照して、さらに詳細に説明する。
【００１２】
図１を参照して説明する。全体を番号２で示すキャブは、略直方体状に形成され、前面（図１の左手前側）の略全体にガラス窓である前窓４を備え、左側面（図１の右手前側）に乗降用のドア６を備え、天井部の前窓４側にガラス窓と実質的に同様に樹脂により形成された天窓８を備えている。
【００１３】
前窓４の左右の外縁の一側（キャブ内から見て右側）に前窓４のガラス面を払拭するためのワイパー１０を備えている。
【００１４】
キャブ２は、前窓４の外面を覆う幅Ｗを有した帯状の透明のフィルム１２と、ロール状に巻いたこのフィルム１２を収容する前窓４の一端、下端側に設置した収容部１４と、収容部１４のフィルム１２を所定の長さ引き出してロール状に巻き取る、前窓４の他端、上端側の天窓８を越え天窓８の端部に設置した巻取部１６を備えている。
【００１５】
キャブ４の外面の前窓４と天窓８の間には、収容部１４と巻取部１６の間でフィルム１２を案内する案内板１８を備えている。
【００１６】
収容部１４は、略台形断面の容器状に形成され、その前窓４側の一面に幅Ｗのフィルム１２を引出すスリット１４ａを備えている。巻取部１６も同様に、略台形断面の容器状に形成され、その天窓８側の一面に幅Ｗのフィルム１２を巻き込むスリット１６ａを備えている。収容部１４および巻取部１６については、後にさらに詳述する。
【００１７】
案内板１８は、板材によって形成され、キャブ４の前面および天井部の間の外面に略沿った山形断面を有して、フィルム１２の幅Ｗの両側に突出した長さを有している。
【００１８】
かくしてフィルム１２は、巻取部１６によって収容部１４から矢印Ｘで示す方向に引出され、収容部１４と巻取部１６との間において、前窓４、天窓８の外面に沿って張り渡たされる。
【００１９】
フィルム１２は塩化ビニル樹脂によって成形されている。フィルム１２の幅Ｗは、前窓４を略覆う大きさを有している。
【００２０】
図１とともに図２を参照して説明する。収容部１４は、フィルム１２を矢印Ｘで示す引出し方向と逆の方向に弾性的に付勢する、例えば板巻きばねによって形成することができる付勢手段１４ｂを備えている。収容部１４には、引出し張り渡たされ異物の付着したフィルム１２に代えて、汚れのないフィルム１２を複数回引き出すことができる長さのフィルム１２を巻取り収容しておく。
【００２１】
巻取部１６は、キャブ２内に設置したスイッチ２０によるオンオフが自在な電動モーターにより形成された巻取駆動手段１６ｂを備えている。巻取駆動手段１６ｂと電源２１につながるスイッチ２０との間には、タイマー２２を備えている。
【００２２】
タイマー２２は、スイッチ２０オン状態において、設定した一定時間が経過すると、スイッチ２０と巻取駆動手段１６ｂとを自動的に通電状態にし、巻取駆動手段１６ｂを作動させ、張り渡した長さの分のフィルム１２を自動的に巻き取る。タイマー２２を、時間を設定しない状態にするとスイッチ２０オン状態にしたときにのみ巻取駆動手段１６ｂが作動する。
【００２３】
キャブ２においては、張り渡した透明フィルム１２の汚れの状況に応じて、例えば汚れが多く運転視界が悪化したときには、スイッチ２０をオン操作して、汚れた部分を巻取り、汚れのない新しい部分を引出す。あるいは、フィルム１２のこの更新を、所定の時間間隔で自動的に行うのが望ましい場合には、タイマー２２によってその時間を設定しスイッチ２０をオン状態にしておく。
【００２４】
上述したとおりのキャブ２の作用効果について説明する。
【００２５】
キャブ２は、ガラス窓である前窓４の外面を覆う幅Ｗを有した帯状のフィルム１２と、ロール状に巻いたこのフィルム１２を収容する前窓４の一端側に設置した収容部１４と、収容部１４のフィルム１２を所定の長さ引き出してロール状に巻き取る前窓４の他端側、実施例においては天窓８の端側に設置した巻取部１６を備え、フィルム１２が、収容部１４と巻取部１６の間でガラス窓の外面に沿って張り渡たされる。
【００２６】
したがって、ガラス窓である前窓４そして天窓８に沿ってフィルム１２を張り渡すことにより、ガラス面にワイパー、ウオッシャ液、あるいは手拭きなどでは拭い取るのが困難な異物が付着しないようにし、フィルム１２が付着した異物によって視界を妨げるようになった場合には、汚れた部分を巻取って新しい部分を引出すことにより運転視界が妨げられないようにできる。
【００２７】
巻取部１６は、オンオフ自在な巻取駆動手段１６ｂを備え、収容部１４は、フィルム１２を引出し方向Ｘと逆の方向に弾性的に付勢する付勢手段１４ｂを備えているので、必要に応じてフィルム１２を駆動手段で巻き取ることができ、またフィルム１２を付勢手段で緊張状態に張り渡すことができる。
【００２８】
ガラス窓はキャブ２の前面に形成された前窓４であり、収容部１４はこの前窓４の下端側に、そして巻取部１６は上端側に設置されているので、収容部１４および巻取部１６によってキャブ２からの視界、特に左右の視界が邪魔されない。
【００２９】
前窓４に隣接して天井部に天窓８を備えるキャブ２において、巻取部１６を天窓８の端部に設置しフィルム１２を前窓４および天窓８に沿って張り渡たすことにより、前窓４とともに天窓８の視界を十分に良好に確保することができる。
【００３０】
巻取駆動手段１６ｂは、一定時間が経過すると自動的に巻き取るタイマー２２を備えているので、同じ作業場所で同じ作業を長時間繰り返すような建設機械のキャブ、例えばトンネル掘削現場で稼働する油圧ショベルのキャブなどにおいては、フィルム１２の巻取間隔をタイマー２２で設定することにより、オペレータはフィルム１２の巻取りに気を使うことなく視界の確保されたキャブ内で作業に専念することができる。
【００３１】
フィルム１２は、塩化ビニル樹脂により成形されている。したがって、比較的安価に、容易に入手することができる。
【００３２】
以上、本発明を実施例に基づいて詳細に説明したが、本発明は上記の実施例に限定されるものではなく、例えば下記のように、本発明の範囲内においてさまざまな変形あるいは修正ができるものである。
【００３３】
本発明の実施例においては、巻取部１６は巻取駆動手段１６ｂを備えているが、巻取りの頻度が少ない場合には手動ハンドルなどによる手動による巻取式であってもよい。
【００３４】
本発明の実施例においては、収容部１４は窓の下端側に、巻取部１６は上端側に設置されているが、キャブの形態、キャブを備える建設機械の形態などによって、これらをキャブの左右の側に設置してもよい。
【００３５】
本発明の実施例においては、キャブ２は前窓４および天窓８の二つの窓を備え、フィルム１２は前窓４および天窓８に沿って張り渡されているが、例えば前窓４のみに沿って張り渡たしてもよい。
【００３６】
本発明の実施例においては、フィルム１２は塩化ビニル樹脂製であるが、付着する異物の種類などに応じて、例えばより高い強度が要求される場合には、ポリカーボネート樹脂製あるいはポリエステル樹脂製などを用いればよい。
【図面の簡単な説明】
【００３７】
【図１】本発明に従って構成されたキャブを斜め左前のやや上方から見た斜視図。
【図２】図１のキャブの、フィルム、収容部および巻取部などの部分の構成説明図。
【符号の説明】
【００３８】
２：キャブ
４：前窓（ガラス窓）
８：天窓
１２：フィルム
１４：収容部
１４ｂ：付勢手段
１６：巻取部
１６ｂ：巻取駆動手段
２２：タイマー
【図１】
2007203856.tif 000003
【図２】
2007203856.tif 000004